(57)【要約】【課題】遊技機の種類に応じた仕様変更に容易に対応でき、仕様も容易に確認できて仕様変更の誤りを防止できる遊技媒体貸出装置11を提供する。【解決手段】遊技機が現金機であればコネクタ33にループコネクタ体36を接続し、ＣＲ機であればコネクタ33からループコネクタ体36を外す。制御部は、コネクタ33にループコネクタ体36が接続されていることを検知することにより、現金機対応としてインターフェース接続しない制御に切り換える。制御部は、コネクタ33にループコネクタ体36が接続されていることを検知することにより、ＣＲ機対応としてインターフェース接続する制御に切り換える。コネクタ33にループコネクタ体36が接続されているか否かで、現金機対応かＣＲ機対応かを確認できる。【選択図】図１
2007130324.tif 000002
【特許請求の範囲】
【請求項１】
遊技媒体を投出する遊技媒体投出部を配置可能とする貸出装置本体と、
遊技媒体貸出機能を有する遊技機と接続可能とするインターフェース部と、
前記遊技機とインターフェース接続するか否かの設定を切り換えさせる接続手段を接続可能とするコネクタと、
前記コネクタに対する前記接続手段の接続の有無に応じてインターフェース接続するか否かを切り換えて制御する制御部と
を具備していることを特徴とする遊技媒体貸出装置。
【請求項２】
接続手段は、コネクタに接続されるコネクタ部にループ形状の配線を設けたループコネクタ体であり、
制御部は、コネクタに接続される接続手段がループ形状の配線であることを検知する
ことを特徴とする請求項１記載の遊技媒体貸出装置。
【請求項３】
遊技媒体を投出する遊技媒体投出部を配置可能とする貸出装置本体と、
遊技媒体貸出機能を有する遊技機と接続可能とするインターフェース部と、
遊技機情報を付与する遊技機情報付与手段を接続可能とするコネクタと、
前記コネクタからの遊技機情報の有無に応じて前記遊技機とインターフェース接続するか否かを切り換えて制御する制御部と
を具備していることを特徴とする遊技媒体貸出装置。
【請求項４】
遊技媒体を投出する遊技媒体投出部を配置可能とする貸出装置本体と、
遊技媒体貸出機能を有する遊技機と接続可能とするインターフェース部と、
前記遊技媒体投出部を接続可能とする接続部と、
前記接続部に遊技媒体投出部が接続されなければ前記遊技機とインターフェース接続しない制御に切り換え、接続されれば前記遊技機とインターフェース接続する制御に切り換える制御部と
を具備していることを特徴とする遊技媒体貸出装置。
【請求項５】
貸出装置本体の前面には、貸出装置本体に配置される遊技媒体投出部から投出する遊技媒体を取り出す遊技媒体取出部を備えた遊技媒体取出用部材と、遊技媒体取出部を備えない遊技媒体非取出用部材とのいずれかが交換可能に取り付けられる
ことを特徴とする請求項１ないし４いずれか記載の遊技媒体貸出装置。
【請求項６】
貸出装置本体には貨幣を受け入れて処理する貨幣処理部を配置可能とし、
制御部は、貸出装置本体に配置される貨幣処理部とこの貨幣処理部とは別の貨幣識別部とのいずれかが接続され、これら貨幣処理部および貨幣識別部のいずれかとの通信に基づいて遊技媒体の貸し出しを制御する
ことを特徴とする請求項１ないし５いずれか記載の遊技媒体貸出装置。
【発明の詳細な説明】
【技術分野】
【０００１】
本発明は、遊技媒体を貸し出す遊技媒体貸出装置に関する。
【背景技術】
【０００２】
従来、遊技店に設置された遊技島には、例えばパチンコ機やパチスロ機などの複数の遊技機が並設されるとともに、各遊技機の側部に遊技媒体を貸し出すための台間機と呼ばれる遊技媒体貸出装置が設置されている。遊技機は、遊技媒体の貸出装置を別途必要とする現金機と遊技媒体貸出機能を有するＣＲ機との２種類に大別されている。遊技媒体貸出装置は、遊技機の現金機とＣＲ機とに対応して２種類の仕様に大別されている。すなわち、遊技媒体貸出装置は、遊技機が現金機の場合に、遊技者による現金の投入を受け付けて、内蔵した遊技媒体投出部から遊技媒体を投出して貸し出す仕様と、遊技機がＣＲ機の場合に、そのＣＲ機と通信可能に接続し、遊技者による現金、プリペイドカードなどの投入を受け付けて、ＣＲ機に遊技媒体の貸し出しを指令し、ＣＲ機から遊技媒体を貸し出す仕様とがある。
【０００３】
このように遊技媒体貸出装置は、遊技機の種類に対応した仕様とするので、遊技機を現金機からＣＲ機へ入れ換えたり、あるいはＣＲ機から現金機へ入れ換える場合には、それに対応して遊技媒体貸出装置を仕様変更する必要があり、遊技媒体貸出装置も入れ換える必要がある。
【０００４】
また、現金機用に対応したユニットとＣＲ機用に対応したユニットとを遊技媒体貸出装置に対して交換可能とし、遊技媒体貸出装置全体を入れ換えることなく、遊技機の現金機とＣＲ機との入れ換えに対応した遊技媒体貸出装置がある。すなわち、遊技機が現金機の場合には、遊技媒体投出部を有するユニットを遊技媒体貸出装置に装着し、このユニットと遊技媒体貸出装置の制御部とを接続することにより、ユニットの遊技媒体投出部から遊技媒体を投出して貸し出す仕様とし、一方、遊技機がＣＲ機の場合には、ＣＲ機と通信機能を有するユニットを遊技媒体貸出装置に装着し、このユニットと遊技媒体貸出装置の制御部とを接続するとともにユニットとＣＲ機とを接続することにより、ＣＲ機から遊技媒体を貸し出す仕様としている（例えば、特許文献１参照。）。
【特許文献１】特開２０００−３２５６４３号公報（第７−９頁、図２、図４−６）
【発明の開示】
【発明が解決しようとする課題】
【０００５】
しかしながら、現金機用に対応したユニットとＣＲ機用に対応したユニットとを遊技媒体貸出装置に対して交換可能とし、遊技媒体貸出装置全体を入れ換えることなく、遊技機の現金機とＣＲ機との入れ換えに対応した遊技媒体貸出装置においても、現金機に対応したユニットとＣＲ機に対応したユニットとをそれぞれ用意して交換しなければならず、仕様変更に容易に対応できない問題がある。
【０００６】
また、現金機に対応したユニットとＣＲ機に対応したユニットとの交換作業は遊技店の店員では行えず、設置業者あるいは保守業者などの専門業者が行わなければならない。
【０００７】
また、設置業者あるいは保守業者などの専門業者ではなく遊技店の店員でも容易に仕様変更できるように工夫するとしても、誤った使用変更をしてしまい、それに気付かない可能性が考えられる。
【０００８】
本発明は、このような点に鑑みなされたもので、遊技機の種類に応じた仕様変更に容易に対応でき、仕様も容易に確認できて仕様変更の誤りを防止できる遊技媒体貸出装置を提供することを目的とする。
【課題を解決するための手段】
【０００９】
請求項１記載の遊技媒体貸出装置は、遊技媒体を投出する遊技媒体投出部を配置可能とする貸出装置本体と、遊技媒体貸出機能を有する遊技機と接続可能とするインターフェース部と、前記遊技機とインターフェース接続するか否かの設定を切り換えさせる接続手段を接続可能とするコネクタと、前記コネクタに対する前記接続手段の接続の有無に応じてインターフェース接続するか否かを切り換えて制御する制御部とを具備しているものである。
【００１０】
請求項２記載の遊技媒体貸出装置は、請求項１記載の遊技媒体貸出装置において、接続手段は、コネクタに接続されるコネクタ部にループ形状の配線を設けたループコネクタ体であり、制御部は、コネクタに接続される接続手段がループ形状の配線であることを検知するものである。
【００１１】
請求項３記載の遊技媒体貸出装置は、遊技媒体を投出する遊技媒体投出部を配置可能とする貸出装置本体と、遊技媒体貸出機能を有する遊技機と接続可能とするインターフェース部と、遊技機情報を付与する遊技機情報付与手段を接続可能とするコネクタと、前記コネクタからの遊技機情報の有無に応じて前記遊技機とインターフェース接続するか否かを切り換えて制御する制御部とを具備しているものである。
【００１２】
請求項４記載の遊技媒体貸出装置は、遊技媒体を投出する遊技媒体投出部を配置可能とする貸出装置本体と、遊技媒体貸出機能を有する遊技機と接続可能とするインターフェース部と、前記遊技媒体投出部を接続可能とする接続部と、前記接続部に遊技媒体投出部が接続されなければ前記遊技機とインターフェース接続しない制御に切り換え、接続されれば前記遊技機とインターフェース接続する制御に切り換える制御部とを具備しているものである。
【００１３】
請求項５記載の遊技媒体貸出装置は、請求項１ないし４いずれか記載の遊技媒体貸出装置において、貸出装置本体の前面には、貸出装置本体に配置される遊技媒体投出部から投出する遊技媒体を取り出す遊技媒体取出部を備えた遊技媒体取出用部材と、遊技媒体取出部を備えない遊技媒体非取出用部材とのいずれかが交換可能に取り付けられるものである。
【００１４】
請求項６記載の遊技媒体貸出装置は、請求項１ないし５いずれか記載の遊技媒体貸出装置において、貸出装置本体には貨幣を受け入れて処理する貨幣処理部を配置可能とし、制御部は、貸出装置本体に配置される貨幣処理部とこの貨幣処理部とは別の貨幣識別部とのいずれかが接続され、これら貨幣処理部および貨幣識別部のいずれかとの通信に基づいて遊技媒体の貸し出しを制御するものである。
【発明の効果】
【００１５】
請求項１記載の遊技媒体貸出装置によれば、遊技機の種類に応じて仕様変更する際に、コネクタに接続手段を接続するかしないかを切り換えることにより、コネクタに対する接続手段の接続の有無に応じてインターフェース接続するか否かを自動的に切り換えて制御するため、遊技機の種類に応じた仕様別に入れ換えや部品の交換などが必要なく、仕様変更に容易に対応でき、しかも、コネクタに対する接続手段の接続の有無で設定されている仕様を容易に確認でき、仕様変更の誤りも防止できる。したがって、設置業者あるいは保守業者などの専門業者ではなく遊技店の店員であっても、容易かつ正常に仕様変更できる。
【００１６】
請求項２記載の遊技媒体貸出装置によれば、請求項１記載の遊技媒体貸出装置の効果に加えて、接続手段はコネクタに接続されるコネクタ部にループ形状の配線を設けたループコネクタ体であり、制御部はコネクタに接続される接続手段がループ形状の配線であることを検知するため、接続手段が簡単な構成でありながら、制御部で確実に検知できる。
【００１７】
請求項３記載の遊技媒体貸出装置によれば、遊技機の種類に応じて仕様変更する際に、遊技機情報を付与する遊技機情報付与手段をコネクタに接続するかしないかを切り換えることにより、このコネクタからの遊技機情報の有無に応じてインターフェース接続するか否かを切り換えて制御するため、遊技機の種類に応じた仕様別に入れ換えや部品の交換などが必要なく、仕様変更に容易に対応でき、しかも、コネクタに対する遊技機情報付与手段の接続の有無で設定されている仕様を容易に確認でき、仕様変更の誤りも防止できる。したがって、設置業者あるいは保守業者などの専門業者ではなく遊技店の店員であっても、容易かつ正常に仕様変更できる。
【００１８】
請求項４記載の遊技媒体貸出装置によれば、遊技機の種類に応じて仕様変更する際に、接続部に遊技媒体投出部を接続するかしないかを切り換えることにより、接続部に遊技媒体投出部が接続されなければ遊技機とインターフェース接続しない制御に自動的に切り換え、接続されれば遊技機とインターフェース接続する制御に自動的に切り換えるため、遊技機の種類に応じた仕様別に入れ換えや部品の交換などが必要なく、仕様変更に容易に対応でき、しかも、接続部に対する遊技媒体投出部の接続の有無で設定されている仕様を容易に確認でき、仕様変更の誤りも防止できる。したがって、設置業者あるいは保守業者などの専門業者ではなく遊技店の店員であっても、容易かつ正常に仕様変更できる。
【００１９】
請求項５記載の遊技媒体貸出装置によれば、請求項１ないし４いずれか記載の遊技媒体貸出装置の効果に加えて、遊技機の種類に応じて仕様変更したうえで、さらに、遊技媒体投出部から投出する遊技媒体を取り出す遊技媒体取出部を備えた遊技媒体取出用部材を用いた仕様と遊技媒体取出部を備えない遊技媒体非取出用部材を用いた仕様とにも対応できる。
【００２０】
請求項６記載の遊技媒体貸出装置によれば、請求項１ないし５いずれか記載の遊技媒体貸出装置の効果に加えて、遊技機の種類に応じて仕様変更したうえで、さらに、貸出装置本体に配置された貨幣処理部と通信して遊技媒体の貸し出しを制御する仕様と貨幣処理部とは別の貨幣識別部と通信して遊技媒体の貸し出しを制御する仕様ともに対応できる。
【発明を実施するための最良の形態】
【００２１】
以下、本発明の実施の形態を図面を参照して説明する。
【００２２】
図１ないし図６に第１の実施の形態を示す。
【００２３】
図４および図５において、11は台間機である遊技媒体貸出装置で、この遊技媒体貸出装置11は、遊技店の遊技島に複数並設される例えばパチンコ機やパチスロ機などの各遊技機の側部に設置され、例えばパチンコ玉やメダルなどの遊技媒体の貸し出しを制御する。なお、この実施の形態では、遊技機がパチスロ機で、遊技媒体がメダルの場合を例にして説明する。
【００２４】
遊技機は、メダルの貸出装置を別途必要とする現金機と、遊技中の当たり発生時にメダルを払い出す機能とともにメダルを貸し出す遊技媒体貸出機能を有するＣＲ機10とがある。
【００２５】
遊技媒体貸出装置11は、遊技機の台間に設置される貸出装置本体12を備え、この貸出装置本体12の前面には上から順に上部扉13、中央扉14、下部扉15がそれぞれ開閉可能に取り付けられている。
【００２６】
上部扉13は、下端を回動可能に軸支され、直立して貸出装置本体12の前面を閉塞する閉塞位置と、上端側が手前側に倒されて貸出装置本体12の前面を開放する開放位置との間で回動可能としている。上部扉13には、上部扉13の閉塞位置でキーによって施錠、開錠する錠機構16、メダルの投出数やエラーコードおよび状態などを表示する表示部17が配設されている。この表示部17には、例えばメダルの回収を指令するために店員が係員用リモコンで送信操作する信号を受信する受信部が配置されている。また、上部扉13は、仕様に応じて、貨幣としての紙幣を挿入する貨幣挿入口としての紙幣挿入口18を備えた上部扉13aと、紙幣挿入口18を備えない上部扉13bとがあり、これら上部扉13a，13bが貸出装置本体12に対して交換可能に取り付けられる。
【００２７】
中央扉14は、下端が貸出装置本体12に回動可能に軸支され、直立して貸出装置本体12の前面を閉塞する閉塞位置と、上端側が手前側に例えば４５°傾斜する傾斜姿勢に倒されて貸出装置本体12の前面を開放する開放位置との間で回動可能としている。中央扉14には、中央扉14の閉塞位置でキーによって施錠、開錠する錠機構19が配設されている。
【００２８】
下部扉15は、中央扉14を開放した貸出装置本体12の開口部分を通じて貸出装置本体12の内部の係合箇所を係合解除することにより貸出装置本体12に着脱可能としている。また、下部扉15は、仕様に応じて、メダルを取り出す遊技媒体取出部としてのノズル20を備えた遊技媒体取出用部材としての下部扉15aと、ノズル20を備えない遊技媒体非取出用部材としての下部扉15bとがあり、これら下部扉15a，15bが貸出装置本体12に対して交換可能に取り付けられる。
【００２９】
また、上部扉13で開閉される貸出装置本体12内の上部には、貨幣処理部としての紙幣識別収納部23が仕様に応じて着脱可能に配置されるとともに、その下側にメダルの貸し出しを制御する制御ユニット24が配置されている。紙幣識別収納部23は、紙幣挿入口18から挿入された紙幣を取り込んで識別し、取扱い対象で正規の紙幣については収納し、取扱い対象外または識別不能な紙幣については紙幣挿入口18に戻して返却する。紙幣識別収納部23に収納した紙幣は、上部扉13を開放して取り出し可能とする。
【００３０】
中央扉14で開閉される貸出装置本体12内の中央部には、メダルを受け入れるメダル受入部25が形成されている。
【００３１】
下部扉15で開閉される貸出装置本体12内の下部には、遊技媒体投出部としてのメダル投出部26が仕様に応じて着脱可能に配置されるとともに、その下側に遊技媒体貸出装置11の電源を供給する電源部27が配置されている。メダル投出部26は、メダル受入部25から受け入れたメダルを貯留するとともに１枚ずつ投出してノズル20から払い出す。
【００３２】
また、図３(c)(d)および図４(c)(d)に示すように、紙幣を遊技島側に取り込んで搬送回収する場合には、紙幣を取り込んで識別し、取扱い対象で正規の紙幣については遊技島に設置されている紙幣搬送回収機構に受け渡す搬送タイプの貨幣識別部としての紙幣識別部29が用いられる。この搬送タイプの紙幣識別部29は、遊技媒体貸出装置11の上方域などに設置されており、紙幣を挿入する紙幣挿入口30を有しており、制御ユニット24に対して配線31で接続される。
【００３３】
また、図１および図６に示すように、制御ユニット24の周辺部などには、ＣＲ機10、紙幣識別収納部23、メダル投出部26、紙幣識別部29、電源部27、図示しない管理コンピュータなどの上位機などと接続される各種のコネクタ33が配設されている。例えば、貸出装置本体12の上部扉13を開放した前面開口に臨む制御ユニット24の前側にはコネクタ33a，33bが配設され、これらコネクタ33a，33bには仕様に応じてケーブル34a，34bのコネクタ35a，35bのいずれか一方のみが接続される。また、制御ユニット24の上側にはコネクタ33cが配設され、このコネクタ33cにはＣＲ機10と接続するケーブル34cのコネクタ35cが接続される。
【００３４】
制御ユニット24の前側に配置されるコネクタ33a，33bのうちの一方には仕様に応じてケーブル34a，34bが接続されず、そのコネクタ33a，33bのうちの一方には遊技機が現金機の場合に接続されるとともにＣＲ機10の場合に外されてインターフェース接続するか否かの設定を切り換えさせるための接続手段としてのループコネクタ体36が着脱可能に接続される。なお、図１および図６にはＣＲ機10と接続するケーブル34cおよびループコネクタ体36の両方が接続された状態を示すが、使用時にはいずれか一方のみが接続される。
【００３５】
図５に示すように、ループコネクタ体36は、コネクタ33a，33bに着脱可能に接続されるコネクタ部37を有し、このコネクタ部37内で配線38がループ状に接続されて構成されている。ループコネクタ体36をコネクタ33a，33bに接続することにより、例えば、コネクタ33a，33bの２番と５番とをループ接続する。
【００３６】
コネクタ33a，33bは制御ユニット24の有する制御基板39に搭載されている。
【００３７】
また、図２に示すように、制御ユニット24は制御部41を備え、この制御部41には、表示部17、紙幣識別収納部23、ＣＲ機10と接続されるインターフェース部42、メダル投出部26、および電源部27などが接続されている。
【００３８】
さらに、制御部41は、コネクタ33a，33bのいずれかにループコネクタ体36が接続されているか否かを検知する検知手段であって、ループコネクタ体36が接続されていてループ形状の配線であることを検知した場合にはインターフェース接続しない現金機対応であることを検知する現金機対応検知部43を備えている。
【００３９】
そして、制御部41は、現金機対応検知部43で現金機対応であることが検知されていればインターフェース接続しないに切り換えて制御し、現金機対応であることが検知されていなければインターフェース接続するに切り換えて制御する機能を有している。
【００４０】
また、制御部41は、ＣＲ機10とインターフェース部42で接続された状態で、インターフェース接続が許容されることにより、ＣＲ機10から供給されるＡＣ２４Ｖを電源部27でＤＣ１８Ｖに変換してＣＲ機10へ供給し、ＣＲ機10の度数表示やエラーコードなどを表示する表示部17などを制御する。これは、ループコネクタ体36が接続されていて現金機対応検知部43で現金機対応であることが検知されている場合のみに行い、ループコネクタ体36が接続されておらず現金機対応検知部43で現金機対応であることが検知されていない場合には電源の変換や供給をしない。
【００４１】
また、制御部41は、ループコネクタ体36の接続の有無に応じた遊技機の種類の判断により貸出装置本体12に配置されるメダル投出部26からのメダルの貸し出しとインターフェース部42に接続されるＣＲ機10からのメダルの貸し出しとを切り換えて制御する機能、貸出装置本体12に配置される紙幣識別収納部23と搬送タイプの紙幣識別部29とのいずれかが接続され、これら紙幣識別収納部23または紙幣識別部29と通信してメダルの貸し出しを制御する機能を有している。
【００４２】
次に、遊技媒体貸出装置11の作用を説明する。
【００４３】
なお、ここでは、遊技機が現金機の場合で、図３(a)および図４(a)に示すように（なお、ＣＲ機10とは接続されない）、遊技媒体貸出装置11が、紙幣識別収納部23およびメダル投出部26などを備えた仕様の場合において説明する。
【００４４】
遊技機が現金機の場合には、現金機と制御ユニット24のインターフェース部42とは接続されておらず、ループコネクタ体36がコネクタ33aまたはコネクタ33bに接続されている。そのため、制御部41は、現金機対応で制御する。ループコネクタ体36をコネクタ33aまたはコネクタ33bに接続することにより、現金機対応検知部43で現金機対応であることを検知するため、制御部41は、メダル投出部26からのメダルの貸し出しに切り換える現金機対応の仕様とする。
【００４５】
まず、店員による遊技媒体貸出装置11の準備作業について説明する。
【００４６】
店員が中央扉14の錠機構19をキーで解錠して中央扉14を開放し、メダル受入部25を通じてメダル投出部26にメダルを補給する。補給完了後、中央扉14を閉鎖し、錠機構19をキーで施錠する。このメダル補充作業は、遊技店の開店前に行われるほか、営業中でもメダル投出部26内のメダル収納量が少なくなれば行われる。
【００４７】
次に、遊技客による遊技媒体貸出装置11の利用について説明する。
【００４８】
遊技客によって紙幣を紙幣挿入口18に挿入し、この挿入された紙幣を紙幣識別収納部23で識別する。識別の結果、取扱い対象でかつ正規の例えば千円紙幣を受け入れて収納し、千円紙幣以外の紙幣や識別不能紙幣などは返却する。
【００４９】
紙幣識別収納部23で千円紙幣であると識別すれば、メダル投出部26を駆動して所定枚数のメダルを投出し、ノズル20を通じて払い出されたメダルを遊技者が遊技機で使用する。
【００５０】
次に、店員による遊技媒体貸出装置11の後処理作業について説明する。
【００５１】
店員が上部扉13の錠機構16をキーで解錠して上部扉13を開放し、紙幣識別収納部23に収納されている紙幣を取り出し、上部扉13を閉塞し、錠機構16をキーで施錠する。この紙幣回収作業は、営業終了後のほか、営業中にも行うこともある。
【００５２】
また、メダルも有価物であり、閉店中に残留させることが不安などの理由でメダルを回収する場合には、係員用リモコンを表示部17のリモコン受信部に向けて送信操作することにより、メダル投出部26が収納されている全てのメダルを投出し、ノズル20から払い出されるメダルを回収する。
【００５３】
次に、遊技媒体貸出装置11のメダル投出部26で詰まりが発生した場合について説明する。
【００５４】
店員が中央扉14の錠機構19をキーで解錠して中央扉14を開放し、中央扉14を開放した貸出装置本体12の開口部分を通じて貸出装置本体12の内部の下部扉15の係合箇所を係合解除することによって下部扉15を取り外す。メダル投出部26を貸出装置本体12から引き出してメダル投出部26での詰まりを解消する。詰まりの解消後、メダル投出部26を貸出装置本体12内に押し込んで戻し、下部扉15を貸出装置本体12に装着し、中央扉14を閉鎖し、錠機構19をキーで施錠する。
【００５５】
次に、遊技機が現金機からＣＲ機10に入れ換えた場合の遊技媒体貸出装置11の仕様変更について説明する。
【００５６】
ＣＲ機10と遊技媒体貸出装置11の制御ユニット24のインターフェース部42とを接続し、ループコネクタ体36をコネクタ33aまたはコネクタ33bから外す。
【００５７】
ループコネクタ体36をコネクタ33aまたはコネクタ33bから外すことにより、現金機対応検知部43で現金機対応であることを検知しなくなるため、制御部41は、ＣＲ機10からのメダルの貸し出しに切り換える仕様変更を自動的に行う。
【００５８】
そして、ＣＲ機10用に仕様変更すれば、遊技者によって挿入された紙幣が紙幣識別収納部23で千円紙幣であると識別することにより、ＣＲ機10に所定枚数のメダルを投出するように指令し、その指令を受けたＣＲ機10から所定枚数のメダルを貸し出す。
【００５９】
このように、ＣＲ機10と遊技媒体貸出装置11の制御ユニット24のインターフェース部42とを接続し、ループコネクタ体36をコネクタ33aまたはコネクタ33bから外すだけで、遊技機の現金機からＣＲ機10への入れ換えに対応でき、遊技媒体貸出装置11の入れ換えや部品の交換などが必要なく、遊技媒体貸出装置11の仕様変更に容易に対応できる。しかも、コネクタ33aまたはコネクタ33bに対してループコネクタ体36が接続されていないことで、ＣＲ機10用の仕様であることを容易に確認でき、仕様変更の誤りも防止できる。
【００６０】
なお、遊技機がＣＲ機10の場合には、遊技媒体貸出装置11に対するメダルの補給や回収などの必要がない。
【００６１】
この場合、遊技媒体貸出装置11からのメダルの貸し出しがなくなるが、図３(a)および図４(a)に示すように、ノズル20やメダル投出部26はそのままあってもよい。また、ノズル20が邪魔になるなどの理由で不要な場合には、図３(b)(d)および図４(b)(d)に示す仕様のように、下部扉15を、ノズル20を備えた下部扉15aから、ノズル20を備えない下部扉15bに交換する。
【００６２】
また、メダル投出部26は、ノズル20を備えない下部扉15bに交換した場合であってもそのまま貸出装置本体12内にあってもよい。あるいは、図３(b)(d)および図４(b)(d)に示す仕様のように、メダル投出部26を貸出装置本体12から外してもよい。
【００６３】
また、遊技機がＣＲ機10で、かつ紙幣を遊技島側に取り込んで搬送回収する場合には、図３(c)(d)および図４(c)(d)に示す仕様のように、貸出装置本体12から紙幣識別収納部23を外し、上部扉13を、紙幣挿入口18を備えた上部扉13aから紙幣挿入口18を備えない上部扉13bに交換する。遊技媒体貸出装置11とは別体の紙幣識別部29と制御ユニット24とを配線31で接続する。
【００６４】
これにより、遊技客によって紙幣識別部29に挿入された紙幣をこの紙幣識別部29で識別し、千円紙幣については遊技島に設置されている紙幣搬送回収機構に受け渡して搬送回収する。紙幣識別部29で千円紙幣であると識別すれば、ＣＲ機10に所定枚数のメダルを投出するように指令し、その指令を受けたＣＲ機10から所定枚数のメダルを貸し出す。
【００６５】
次に、遊技機をＣＲ機10から現金機に入れ換える場合には、図３(a)(c)および図４(a)(c)に示す仕様のように（なお、ＣＲ機10は接続されない）、ＣＲ機10と遊技媒体貸出装置11の制御ユニット24のインターフェース部42とを接続を外し、ループコネクタ体36をコネクタ33aまたはコネクタ33bに接続する。また、遊技媒体貸出装置11にノズル20やメダル投出部26を備える。
【００６６】
ループコネクタ体36をコネクタ33aまたはコネクタ33bに接続することにより、現金機対応検知部43で現金機対応であることを検知するため、制御部41は、貸出装置本体12に配置されるメダル投出部26からのメダルの貸し出しに切り換える仕様変更を自動的に行う。
【００６７】
したがって、遊技媒体貸出装置11は、図３(a)〜(d)および図４(a)〜(d)に示す各仕様に容易に仕様変更できる。図３(a)および図４(a)に示す仕様では、紙幣識別収納部23、ノズル20およびメダル投出部26などを備え、遊技機が現金機とＣＲ機10とのいずれにも切り換えて対応可能とし、また、図３(b)および図４(b)に示す仕様では、紙幣識別収納部23などは備えるが、ノズル20およびメダル投出部26などは外され、遊技機がＣＲ機10の場合に対応可能とし、また、図３(c)および図４(c)に示す仕様では、紙幣識別収納部23などが外されて搬送タイプの紙幣識別部29が接続され、ノズル20およびメダル投出部26などを備え、遊技機が現金機とＣＲ機10とのいずれにも切り換えて対応可能とし、また、図３(d)および図４(d)に示す仕様では、紙幣識別収納部23などが外されて搬送タイプの紙幣識別部29が接続され、ノズル20およびメダル投出部26などは外され、遊技機がＣＲ機10の場合に対応可能とする。
【００６８】
このように、遊技媒体貸出装置11は、遊技機の種類に応じた仕様変更する際に、遊技機に対するインターフェース部42の接続の有無とコネクタ33aまたはコネクタ33bに対するループコネクタ体36の接続の有無とにより、貸出装置本体12に配置されるメダル投出部26からのメダルの貸し出しとインターフェース部42に接続されるＣＲ機10からのメダルの貸し出しとを切り換えることができ、遊技媒体貸出装置11の入れ換えや部品の交換などが必要なく、遊技媒体貸出装置11の仕様変更に容易に対応できる。
【００６９】
しかも、コネクタ33aまたはコネクタ33bに対するループコネクタ体36の接続の有無で、現金機用かＣＲ機10用かの仕様を容易に確認でき、仕様変更の誤りも防止できる。
【００７０】
したがって、設置業者あるいは保守業者などの専門業者ではなく遊技店の店員であっても、誤りなく容易に仕様変更できる。
【００７１】
また、遊技機の種類に応じて仕様変更したうえで、さらに、メダル投出部26から投出するメダルを取り出すノズル20を備えた下部扉15aを用いた仕様とノズル20を備えない下部扉15bを用いた仕様とにも容易に対応できる。
【００７２】
同様に、遊技機の種類に応じて仕様変更したうえで、さらに、貸出装置本体12に配置された紙幣識別収納部23と通信してメダルの貸し出しを制御する仕様と紙幣識別収納部23とは別の紙幣識別部29と通信してメダルの貸し出しを制御する仕様ともに容易に対応できる。
【００７３】
なお、ループコネクタ体36は、コネクタ33a，33bに限らず、ＣＲ機10と接続するコネクタ33cでもよい。この場合、コネクタ33cにＣＲ機10とのケーブル34cを接続するためには、ループコネクタ体36を必ず外す必要があるので、仕様変更を確実にできる。
【００７４】
また、ループコネクタ体36は、現金機用の仕様の場合に接続し、ＣＲ機10用の仕様の場合に外すのに限らず、現金機用の仕様の場合に外し、ＣＲ機10用の仕様の場合に接続するようにしてもよい。
【００７５】
次に、図７に第２の実施の形態を示す。
【００７６】
制御ユニット24が、制御部41やＣＲ機10の接続用のコネクタ33cを除くコネクタ33を搭載した主基板51と、ＣＲ機10の接続用のコネクタ33cを搭載した接続用基板52とを備えている場合を示す。
【００７７】
この場合、主基板51のコネクタ33にループコネクタ体36を接続してもよく、あるいは、接続用基板52のコネクタ33cにループコネクタ体36を接続してもよい。
【００７８】
次に、図８に第３の実施の形態を示す。
【００７９】
ループコネクタ体36に代えて、遊技機情報を付与する遊技機情報付与手段としてのコネクタ体61を用い、このコネクタ体61を制御ユニット24のコネクタ33aまたはコネクタ33bなどのコネクタ33に接続可能としている。
【００８０】
コネクタ体61は、メモリ部62が内蔵された基板63、およびコネクタ33に着脱可能に接続されるコネクタ部64を有している。コネクタ部64をコネクタ33に接続した状態で、メモリ部62は、制御部41から入力される電文を変換し、現金機対応である旨を知らせる遊技機情報を制御部41に出力する。
【００８１】
現金機対応検知部43は、コネクタ33から入力される遊技機情報に基づいて現金機対応であることを検知する。
【００８２】
制御部41は、コネクタ33から遊技機情報が入力されていることが検知されていれば、現金機対応であると判断してインターフェース接続しないに切り換えて制御し、また、コネクタ33から遊技機情報が入力されていることが検知されていなければ、ＣＲ機対応であるとしてインターフェース接続するに切り換えて制御する。
【００８３】
そして、遊技機の種類に応じて仕様変更する際に、遊技機情報を付与するコネクタ体61をコネクタ33に接続するかしないかを切り換えることにより、このコネクタ33からの遊技機情報の有無に応じてインターフェース接続するか否かを切り換えて制御するため、遊技機の種類に応じた仕様別に入れ換えや部品の交換などが必要なく、仕様変更に容易に対応できる。しかも、コネクタ33に対するコネクタ体61の接続の有無で設定されている仕様を容易に確認でき、仕様変更の誤りも防止できる。
【００８４】
なお、コネクタ体61は、ＣＲ機対応である旨を通知するようにし、ＣＲ機対応の仕様のする場合に接続するようにしてもよい。この場合、制御部41は、コネクタ33から遊技機情報が入力されていることが検知されていれば、ＣＲ機対応であるとしてインターフェース接続するに切り換えて制御し、また、コネクタ33から遊技機情報が入力されていることが検知されていなければ、現金機対応であると判断してインターフェース接続しないに切り換えて制御する。
【００８５】
次に、図９および図１０に第４の実施の形態を示す。
【００８６】
メダル投出部26には制御部41と電気的に接続するためのコネクタ71が設けられ、貸出装置本体12内のメダル投出部26を装着する箇所には制御部41に接続される接続部としてのコネクタ72が配置されており、メダル投出部26を貸出装置本体12内に装着することにより、その装着位置でメダル投出部26のコネクタ71がコネクタ72に接続され、メダル投出部26と制御部41とが電気的に接続される。
【００８７】
制御部41は、メダル投出部26が接続されているか否かを検知する接続検知手段の機能を有し、コネクタ72にメダル投出部26が接続されていれば現金機対応として遊技機とインターフェース接続しない制御に切り換え、接続されていなければＣＲ機対応として遊技機とインターフェース接続する制御に切り換える。
【００８８】
そして、遊技機が現金機の場合にはメダル投出部26を貸出装置本体12内に装着して接続し、ＣＲ機10の場合にはメダル投出部26を貸出装置本体12内から外す。
【００８９】
遊技機の種類に応じて、メダル投出部26を貸出装置本体12内に装着して接続するかしないかを切り換えるだけで、メダル投出部26が接続されれば遊技機とインターフェース接続しない制御に自動的に切り換え、接続されなければ遊技機とインターフェース接続する制御に自動的に切り換えるため、遊技機の種類に応じた仕様別に入れ換えや部品の交換などが必要なく、仕様変更に容易に対応できる。しかも、メダル投出部26の接続の有無で設定されている仕様を容易に確認でき、仕様変更の誤りも防止できる。
【００９０】
なお、メダル投出部26を貸出装置本体12内に装着することにより、その装着位置でメダル投出部26のコネクタ71がコネクタ72に接続されるようにしたが、メダル投出部26と制御部41とを接続部としての配線で接続してもよい。
【００９１】
なお、前記各実施の形態では、遊技機がＣＲ機10の場合には遊技媒体は遊技機から投出され、現金機の場合には遊技媒体貸出装置から投出されるようにしたが、遊技媒体の投出はこれに限定されず、どちらから投出するようにしてもよい。
【００９２】
また、ＣＲ機10の場合は、遊技機と遊技媒体貸出装置11とがインターフェース接続されていればよい。
【００９３】
また、遊技媒体貸出装置11で貸し出し制御する遊技媒体としては、パチスロ機に対応したメダルに限らず、パチンコ機に対応したパチンコ玉でもよい。
【００９４】
また、遊技機としては、パチスロ機やパチンコ機に限らず、パチスロ機のメダルの代わりにパチンコ玉を使用する所謂パロット機でもよい。
【００９５】
また、貨幣処理部は、紙幣に限らず、硬貨を受け入れて処理してもよく、あるいは貨幣価値を有するカードを受け入れて処理してもよい。
【図面の簡単な説明】
【００９６】
【図１】本発明の第１の実施の形態を示す遊技媒体貸出装置のコネクタにループコネクタ体を接続した一部の斜視図である。
【図２】同上遊技媒体貸出装置のブロック図である。
【図３】同上遊技媒体貸出装置の断面図であって(a)(b)(c)(d)に仕様別に示す断面図である。
【図４】同上遊技媒体貸出装置の斜視図であって(a)(b)(c)(d)に仕様別に示す斜視図である。
【図５】同上遊技媒体貸出装置の仕様別の接続手段の接続状況を示し、(a)は現金機対応時の説明図、(b)はＣＲ機対応時の説明図である。
【図６】同上遊技媒体貸出装置の他のコネクタに接続手段を接続した一部の斜視図である。
【図７】本発明の第２の実施の形態を示す遊技媒体貸出装置の一部の斜視図である。
【図８】本発明の第３の実施の形態を示す遊技媒体貸出装置における仕様別の遊技機情報付与手段の接続状況を示し、(a)は現金機対応時の説明図、(b)はＣＲ機対応時の説明図である。
【図９】本発明の第４の実施の形態を示す遊技媒体貸出装置のブロック図である。
【図１０】同上遊技媒体貸出装置の断面図である。
【符号の説明】
【００９７】
10    遊技機としてのＣＲ機
11    遊技媒体貸出装置
12    貸出装置本体
15a   遊技媒体取出用部材としての下部扉
15b   遊技媒体非取出用部材としての下部扉
20    遊技媒体取出部としてのノズル
23    貨幣処理部としての紙幣識別収納部
26    遊技媒体投出部としてのメダル投出部
29    貨幣識別部としての紙幣識別部
33    コネクタ
36    接続手段としてのループコネクタ体
37    コネクタ部
38    配線
41    制御部
42    インターフェース部
61    遊技機情報付与手段としてのコネクタ体
72    接続部としてのコネクタ
【図１】
2007130324.tif 000003
【図２】
2007130324.tif 000004
【図３】
2007130324.tif 000005
【図４】
2007130324.tif 000006
【図５】
2007130324.tif 000007
【図６】
2007130324.tif 000008
【図７】
2007130324.tif 000009
【図８】
2007130324.tif 000010
【図９】
2007130324.tif 000011
【図１０】
2007130324.tif 000012